(57)【要約】      （修正有）【課題】安全帯サポートベルトを外す際の作業用工具の脱落事故を未然に防ぎ安全な作業ができる高所用安全帯サポートベルトを提供する。【解決手段】安全帯サポートベルト１は、作業者の胴部に巻き付け可能な周長を有し、先端２２又はその近傍を係止しうるベルト金具２１を備えるベルト本体２と、ベルト本体を通して保持するためのベルト挿入部３１ａ，３１ｂを備えかつ作業者の腰部を包み込む腰部サポート部３と、を備え、ベルト本体の先端近傍の任意の位置に抜け止め部２３が形成されている。【選択図】図１
0003192433.tif 000002
【実用新案登録請求の範囲】
【請求項１】
作業者の胴部に巻き付け可能な周長のベルト本体であって、該ベルト本体の先端又はその近傍を係止しうるベルト金具を備えるベルト本体と、該ベルト本体を通して保持するためのベルト挿入部を備え、該作業者の腰部を包み込む腰部サポート部と、を備える安全帯サポートベルトであって、
該ベルト本体は、該ベルト本体の先端の近傍任意の位置に抜け止め部を形成することを特徴とする安全帯サポートベルト。
【請求項２】
前記抜け止め部は、前記ベルト挿入部の挿入口よりも断面積が大きいことを特徴とする請求項１に記載の安全帯サポートベルト。
【請求項３】
前記抜け止め部は、該幅が前記ベルト挿入部の挿入口の幅よりも長いことを特徴とする請求項１に記載の安全帯サポートベルト。
【請求項４】
前記抜け止め部は、該厚みが前記ベルト挿入部の挿入口の厚みよりも厚いことを特徴とする請求項１に記載の安全帯サポートベルト。
【請求項５】
前記抜け止め部は、Ｄ環を前記ベルト本体の先端の近傍任意の位置に固定して形成されることを特徴とする請求項１ないし４のいずれかに記載の安全帯サポートベルト。
【考案の詳細な説明】
【技術分野】
【０００１】
本考案は、高所作業用安全帯の補助具として、作業者の腰の負担を軽減する安全帯サポートベルトに関する。
【背景技術】
【０００２】
高所作業用安全帯の補助具として、作業者の腰の負担を軽減するためにサポートベルトが開発されている。仮枠、大工、左官、山林、造園、電気、ガス、水道等について、腰道具を携帯する作業や工事に従事する人にとって、胴ベルトに多くの作業用工具を吊り下げて長時間の作業を行うと、腰部に対する負担が大きい。
【０００３】
このような不都合を解消するため、胴ベルトや工具吊りベルトの内側に、その胴ベルトより幅寸法の大きなクッション性に優れた腰部サポータとしてのサポートベルトを沿わせて、腰への負担を軽減するような製品が市販されている。
【０００４】
また、該サポートベルトは特許発明又は考案としていくつか提案されている。特許文献１に係る発明は、上下辺が平行する帯状のサポートベルトを提案している。また、特許文献２に係る発明は、上辺を中央部が窪む湾曲状とし、かつ、下辺を中央部が突出する湾曲状とした帯状のサポートベルトを提案している。特許文献１及び２のいずれのサポートベルトも未装着状態で扁平な形態をなし、胴ベルトや工具吊りベルトの締付けによって、腰部の外周に巻き付く装着状態とされる。さらに、特許文献３に係る発明は、胴ベルトの締付けによって腰部外周を包み込む装着状態とされる帯状のベルト本体をクッション性を有する熱可塑性樹脂によって腰部外周に沿うよう立体成形し、その成形時に、仙骨と対向する部位に仙骨に模した形状の突出部を設けるようにする。腰部に対するベルト本体の装着時に、突出部を仙骨に強く弾性接触させて、その接触部で吊下げ支持された作業工具の重量を受けて、ベルト本体の上辺部が外方に倒れるのを防止し、ベルト本体の内面全体が腰部の外周にフィットした装着状態が得られるようにした腰部サポータを提案している。
【０００５】
また、上述のサポートベルト等を作業者が腰部に装着した後でも、作業用工具を該サポートベルト等に着脱自在に取り付けられる工具ホルダが提案されている。
【先行技術文献】
【特許文献】
【０００６】
【特許文献１】特開２０００−１４８１５号公報
【特許文献２】特開２００５−５８６３５号公報
【特許文献３】特開２０１１−２００５５６号公報
【考案の概要】
【考案が解決しようとする課題】
【０００７】
図３（ａ）に示すように、従来のサポートベルト１００は、ベルト本体１２０に上述した工具ホルダを介して作業工具であるハンマＨ、レンチＲ、ペンチＰを脱着自在に取り付けて使用される。しかしながら、図３（ｂ）に示すように、当該工具ホルダに作業用工具Ｈ、Ｒ、Ｐを取り付けたまま、作業者がサポートベルト１００を外すと、ベルトの開放端側１２２から、ベルト本体１２０に取り付けられた作業用工具Ｈ、Ｒ、Ｐが脱落して、落下する危険性があった。高所作業の場合は、落下した作業用工具Ｈ、Ｒ、Ｐが作業場所の直下を往来する人を直撃すると大きな事故につながりかねない。本考案は、このような問題に鑑み、サポートベルトを外す際の作業用工具の脱落事故を未然に防ぎ安全な作業ができる高所用安全帯サポートベルトを提案することを課題とする。
【課題を解決するための手段】
【０００８】
本考案に係る安全帯サポートベルトは、作業者の胴部に巻き付け可能な周長のベルト本体であって、該ベルト本体の先端もしくはその近傍を係止しうるベルト金具を備えるベルト本体と、ベルト本体を通して保持するためのベルト挿入部を備えかつ作業者の腰部を包み込む腰部サポート部とを備える安全帯サポートベルトであって、該ベルト本体は、該先端近傍に抜け止め部を形成することを特徴とする。抜け止め部は、ベルト挿入部の挿入口よりも断面積を大きくすると好適である。また、抜け止め部は、該幅がベルト挿入部の挿入口の幅よりも長く形成するか、又は該厚みがベルト挿入部の挿入口の厚みよりも厚く形成して、ベルト本体がベルト挿入部から抜けないようにしてもよい。
【０００９】
抜け止め部は、Ｄ環をベルト本体の先端近傍に固定して形成してもよい。
【考案の効果】
【００１０】
本考案に係る安全帯サポートベルトによれば、ベルト本体に作業用工具を取り付けたまま、ベルトを外しても、ベルトの開放端側から、胴ベルトに吊り下げられた作業用工具が脱落することがないため、作業者にとっては、ベルトを外す際に工具が脱落しないかどうか神経を使う負担がなく、作業場においても、工具の落下という危険性が減少する利点を有している。 
【図面の簡単な説明】
【００１１】
【図１】本考案に係る安全帯サポートベルト１を示す概略正面図である。
【図２】本考案に係る安全帯サポートベルト１に作業用工具Ｈ、Ｒ、Ｐが取り付けられた状態を示す図である。
【図３】従来のサポートベルト１００を示す概略正面図（ａ）と、ベルトが外れて作業用工具Ｈ、Ｒ、Ｐが落下する様子を示す図（ｂ）である。
【考案を実施するための最良の形態】
【００１２】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１３】
実施例１を図面を参照して詳細に説明する。図１は、本考案に係る安全帯サポートベルト１の概略正面図である。
【００１４】
図１を参照する。本考案に係る安全帯サポートベルト１は、作業者の胴部に巻き付け可能な周長のベルト本体２と、作業者の腰部を包み込む腰部サポート部３とを備える。ベルト本体２は、先端２２又はその近傍を係止するベルト金具２１を備える。また、腰部サポート部３は、ベルト本体２を通して保持するためのベルト挿入部３１ａ、３１ｂを備える。なお、ベルト挿入部３１は二つに限定されず、腰部サポート部３は、所望の位置に所望の数のベルト挿入部３１を備えることができる。
【００１５】
ベルト本体２は、先端２２の近傍の任意の位置で、ベルト本体２の先端２２側に設けられたベルト挿入部３１ｂの挿入口より厚い抜け止め部２３を形成するとよい。また、ベルト本体２は、先端２２の近傍の任意の位置で、ベルト本体２の先端２２側に設けられたベルト挿入部３１ｂの挿入幅より長くした抜け止め部２３を形成してもよい。さらに、ベルト挿入部３１ｂの挿入口よりも大きな断面積を有すると好適である。なお、抜け止め部２３は、Ｄ環をベルト本体２の先端２２の近傍の任意の位置に固定して形成すると、ベルト本体２とＤ環の着脱も可能で好適である。図２は、本考案に係る安全帯サポートベルト１に作業用工具Ｈ、Ｒ、Ｐが取り付けられた状態を示す図である。抜け止め部２３を設けることにより、作業者が先端２２をベルト金具２１から外したときに、先端２２がベルト挿入部３１ｂから抜けず、作業用工具Ｈ、Ｒ、Ｐがベルト本体２から脱落し落下することを防止する。
【００１６】
以上、本考案に係る安全帯サポートベルト１における好ましい実施形態を図示して説明してきたが、本考案の技術的範囲を逸脱することなく種々の変更が可能であることは理解されるであろう。
【産業上の利用可能性】
【００１７】
本考案に係る安全帯サポートベルト１は、仮枠、大工、左官、山林、造園、電気、ガス、水道等について、腰道具を携帯する作業や工事に従事する人が、胴ベルトに多くの作業用工具を吊り下げて長時間の作業を行う場合に、利用することができる。
【符号の説明】
【００１８】
１  安全帯サポートベルト
２  ベルト本体
３  腰部サポート部
２１  ベルト金具
２２  ベルト先端
２３  抜け止め部
３１ａ  ３１ｂ  べルト挿入部
【図１】
0003192433.tif 000003
【図２】
0003192433.tif 000004
【図３】
0003192433.tif 000005